(57)【特許請求の範囲】
【請求項１】
交差する２本の同径のワイヤーロープ同士を、前記ワイヤーロープの交差部において相互に固定するワイヤーロープ用固定金具において、
板状の金具本体部と、
前記金具本体部に形成された溝部と、
前記溝部の両側の前記金具本体部に形成されたボルト孔とからなり、
前記溝部は、大径ワイヤーロープが嵌め込まれる大径ワイヤーロープ用溝と、前記大径ワイヤーロープ用溝と直交して形成された、前記大径ワイヤーロープより小径の小径ワイヤーロープが嵌め込まれる小径ワイヤーロープ用溝とからなり、
前記金具本体部を平面視した場合の、前記大径ワイヤーロープ用溝の溝幅が前記小径ワイヤーロープ用溝の溝幅より広く、
前記大径ワイヤーロープ同士を固定するには、一方の前記大径ワイヤーロープを前記大径ワイヤーロープ用溝に嵌め込み、他方の前記大径ワイヤーロープを前記一方の大径ワイヤーロープと重ねて前記小径ワイヤーロープ用溝の位置に配し、大径ワイヤーロープ用Ｕボルトを前記他方の大径ワイヤーロープを跨いで前記ボルト孔に挿入してナット締めし、
前記小径ワイヤーロープ同士を固定するには、一方の前記小径ワイヤーロープを前記小径ワイヤーロープ用溝に嵌め込み、他方の前記小径ワイヤーロープを前記一方の小径ワイヤーロープと重ねて前記大径ワイヤーロープ用溝の位置に配し、小径ワイヤーロープ用Ｕボルトを前記他方の小径ワイヤーロープを跨いで前記ボルト孔に挿入してナット締めすることを特徴とするワイヤーロープ用固定金具。
【請求項２】
前記大径ワイヤーロープ用溝および前記小径ワイヤーロープ用溝は、何れも、弧状に形成されていることを特徴とする、請求項１に記載のワイヤーロープ用固定金具。
【請求項３】
前記大径ワイヤーロープ用溝および前記小径ワイヤーロープ用溝は、何れも、Ｖ字状に形成されていることを特徴とする、請求項１に記載のワイヤーロープ用固定金具。
【発明の詳細な説明】
【技術分野】
【０００１】
この発明は、ワイヤーロープ用固定金具、特に、ワイヤーロープの径が異なっても同一の固定金具により、交差する２本のワイヤーロープ同士を、ワイヤーロープの交差部において相互に固定することができるワイヤーロープ用固定金具に関するものである。
【背景技術】
【０００２】
例えば、図６に示すように、道路に面した山の斜面１１からの落石を防止するために、山の斜面１１にワイヤーロープ１２を縦横に張り渡すことが行なわれている。
【０００３】
この際、２本のワイヤーロープ１２の交差部のワイヤーロープ１２同士は、ワイヤーロープ用固定金具１３により相互に固定する必要がある。
【０００４】
ワイヤーロープ用固定金具には、種々あるが、その一例を、図面を参照しながら説明する。以下、このワイヤーロープ用固定金具を従来固定金具といい、図面を参照しながら説明する。
【０００５】
図７は、従来固定金具Ａを示す正面図、図８は、従来固定金具Ａを示す平面図、図９は、従来固定金具Ａを示す側面図である。
【０００６】
図７から図９に示すように、従来固定金具Ａは、大径ワイヤーロープ用のもので、板状の金具本体部１４と、金具本体部１４に形成された、幅（Ｌ１）の溝部１５と、溝部１５の両側の金具本体部１４に形成されたボルト孔１６とからなっている。溝部１５には、大径ワイヤーロープ１７ａが嵌め込まれる。ボルト孔１６は、溝部１５の一方側に、溝部１５に沿って２個、溝部１５の他方側に、溝部１５に沿って２個、計４個、形成され、２本のＵボルト１８が挿通される（図１０参照）。
【０００７】
上述した従来固定金具Ａにより、交差する２本の大径の一方のワイヤーロープ１７ａと他方のワイヤーロープ１７ｂとを、ワイヤーロープ１７ａ、１７ｂの交差部において相互に固定するには、以下のようにする。
【０００８】
図７、図１０に示すように、一方の大径ワイヤーロープ１７ａを溝部１５内に嵌め込み、一方の大径ワイヤーロープ１７ａと交差する他方の大径ワイヤーロープ１７ｂを跨ぐように２本のＵボルト１８をボルト孔１６に挿通し、ナット１９により締める。
【０００９】
これによって、交差する２本の大径のワイヤーロープ１７ａ、１７ｂ同士を、ワイヤーロープ１７ａ、１７ｂの交差部において相互に固定することができる。
【００１０】
次に、交差する２本の小径の一方のワイヤーロープ２０ａと他方のワイヤーロープ２０ｂとを、ワイヤーロープ２０ａ、２０ｂの交差部において相互に固定するには、小径ワイヤーロープ用の従来固定金具Ｂを使用する。
【００１１】
以下、従来固定金具Ｂを、図面を参照しながら説明する。
【００１２】
図１１は、従来固定金具Ｂを示す正面図、図１２は、従来固定金具Ｂを示す平面図、図１３は、従来固定金具Ｂを示す側面図である。
【００１３】
図１１から図１３に示すように、従来固定金具Ｂと従来固定金具Ａとは、溝部２１の形状のみが異なる。すなわち、従来固定金具Ｂの溝部２１の幅（Ｌ２）は、従来固定金具Ａの溝部１５の幅（Ｌ１）より狭く形成されている。図１１から図１３において、図７から図９におけると同一番号は、同一物を示す。
【００１４】
上述した従来固定金具Ｂにより、交差する２本の小径ワイヤーロープ２０ａ、２０ｂ同士を、ワイヤーロープ２０ａ、２０ｂの交差部において相互に固定するには、図１０、図１１に示すように、一方の小径ワイヤーロープ２０ａを溝部２１内に嵌め込み、一方の小径ワイヤーロープ２０ａと交差する他方の小径ワイヤーロープ２０ｂを跨ぐように２本のＵボルト１８をボルト孔１６に挿通し、ナット１９により締める。
【００１５】
これによって、交差する２本の小径のワイヤーロープ２０ａ、２０ｂ同士を、ワイヤーロープ２０ａ、２０ｂの交差部において相互に固定することができる。
【先行技術文献】
【特許文献】
【００１６】
【特許文献１】特開２００５−３００３９号公報
【特許文献２】特開２０１５−７８４８５号公報
【発明の概要】
【発明が解決しようとする課題】
【００１７】
上記従来固定金具Ａおよび従来固定金具Ｂによれば、交差する２本のワイヤーロープ同士を、ワイヤーロープの交差部において相互に固定することができるが、ワイヤーロープの径に応じて別の固定金具を使用する必要があった。すなわち、大径のワイヤーロープ１７ａ、１７ｂ同士を固定するには、図７から図９に示すように、溝部１５の幅が（Ｌ１）の固定金具を使用し、小径のワイヤーロープ２０ａ、２０ｂ同士を固定するには、図１１から図１３に示すように、溝部１５の幅が（Ｌ１）より狭い（Ｌ２）の別の固定金具を使用する必要があり、落石防止工事に要する費用の増大を招いていた。
【００１８】
そこで、ワイヤーロープの径が異なっても同一の固定金具により、交差する２本のワイヤーロープ同士を、ワイヤーロープの交差部において相互に固定することができるワイヤーロープ用固定金具の開発が望まれていた。
【００１９】
特許文献１および特許文献２には、ワイヤーロープ用固定金具が開示されているが、何れも、ワイヤーロープの径が異なっても同一の固定金具により、交差する２本のワイヤーロープ同士を、ワイヤーロープの交差部において相互に固定する構成にはなっていない。
【００２０】
従って、この発明の目的は、ワイヤーロープの径が異なっても同一の固定金具により、交差する２本のワイヤーロープ同士を、ワイヤーロープの交差部において相互に固定することができるワイヤーロープ用固定金具を提供することにある。
【課題を解決するための手段】
【００２１】
この発明は、上記目的を達成するためになされたものであり、下記を特徴とする。
【００２２】
請求項１に記載の発明は、交差する２本の同径のワイヤーロープ同士を、前記ワイヤーロープの交差部において相互に固定するワイヤーロープ用固定金具において、板状の金具本体部と、前記金具本体部に形成された溝部と、前記溝部の両側の前記金具本体部に形成されたボルト孔とからなり、前記溝部は、大径ワイヤーロープが嵌め込まれる大径ワイヤーロープ用溝と、前記大径ワイヤーロープ用溝と直交して形成された、前記大径ワイヤーロープより小径の小径ワイヤーロープが嵌め込まれる小径ワイヤーロープ用溝とからなり、前記金具本体部を平面視した場合の、前記大径ワイヤーロープ用溝の溝幅が前記小径ワイヤーロープ用溝の溝幅より広く、前記大径ワイヤーロープ同士を固定するには、一方の前記大径ワイヤーロープを前記大径ワイヤーロープ用溝に嵌め込み、他方の前記大径ワイヤーロープを前記一方の大径ワイヤーロープと重ねて前記小径ワイヤーロープ用溝の位置に配し、大径ワイヤーロープ用Ｕボルトを前記他方の大径ワイヤーロープを跨いで前記ボルト孔に挿入してナット締めし、前記小径ワイヤーロープ同士を固定するには、一方の前記小径ワイヤーロープを前記小径ワイヤーロープ用溝に嵌め込み、他方の前記小径ワイヤーロープを前記一方の小径ワイヤーロープと重ねて前記大径ワイヤーロープ用溝の位置に配し、小径ワイヤーロープ用Ｕボルトを前記他方の小径ワイヤーロープを跨いで前記ボルト孔に挿入してナット締めすることに特徴を有するものである。
【００２３】
請求項２に記載の発明は、請求項１に記載の発明において、前記大径ワイヤーロープ用溝および前記小径ワイヤーロープ用溝は、何れも、弧状に形成されていることに特徴を有するものである。
【００２４】
請求項３に記載の発明は、請求項１に記載の発明において、前記大径ワイヤーロープ用溝および前記小径ワイヤーロープ用溝は、何れも、Ｖ字状に形成されていることに特徴を有するものである。
【発明の効果】
【００２５】
この発明によれば、ワイヤーロープの径が異なっても同一の固定金具により、交差する２本のワイヤーロープ同士を、ワイヤーロープの交差部において相互に固定することができる。
【００２６】
この発明によれば、ワイヤーロープの径が異なっても同一の固定金具の使用が可能になるので、落石防止工事に要する費用を削減することができる。
【図面の簡単な説明】
【００２７】
【図１】この発明のワイヤーロープ用固定金具を示す正面図である。
【図２】この発明のワイヤーロープ用固定金具を示す平面図である。
【図３】この発明のワイヤーロープ用固定金具を示す側面図である。
【図４】この発明のワイヤーロープ用固定金具により大径ワイヤーロープ同士を固定した状態を示す平面図である。
【図５】この発明のワイヤーロープ用固定金具により小径ワイヤーロープ同士を固定した状態を示す平面図である。
【図６】山の斜面に張られた落石防止用ワイヤーロープを示す図である。
【図７】従来固定金具Ａを示す正面図である。
【図８】従来固定金具Ａを示す平面図である。
【図９】従来固定金具Ａを示す側面図である。
【図１０】ワイヤーロープ用固定金具により相互に固定されたワイヤーロープを示す平面図である。
【図１１】従来固定金具Ｂを示す正面図である。
【図１２】従来固定金具Ｂを示す平面図である。
【図１３】従来固定金具Ｂを示す側面図である。
【発明を実施するための形態】
【００２８】
この発明のワイヤーロープ用固定金具の一実施態様を、図面を参照しながら説明する。
【００２９】
図１は、この発明のワイヤーロープ用固定金具を示す正面図、図２は、この発明のワイヤーロープ用固定金具を示す平面図、図３は、この発明のワイヤーロープ用固定金具を示す側面図、図４は、この発明のワイヤーロープ用固定金具により大径ワイヤーロープ同士を固定した状態を示す平面図、図５は、この発明のワイヤーロープ用固定金具により小径ワイヤーロープ同士を固定した状態を示す平面図である。
【００３０】
図１から図３において、１は、板状の金具本体部、２は、金具本体部１に形成された溝部である。溝部２は、大径ワイヤーロープ３が嵌め込まれる大径ワイヤーロープ用溝２ａと、大径ワイヤーロープ用溝２ａと直交して形成された、大径ワイヤーロープより小径の小径ワイヤーロープが嵌め込まれる小径ワイヤーロープ用溝２ｂとからなっている。
【００３１】
大径ワイヤーロープは、一方の大径ワイヤーロープ３ａと他方の大径ワイヤーロープ３ｂとからなっている（図４参照）。小径ワイヤーロープは、一方の小径ワイヤーロープ４ａと他方の小径ワイヤーロープ４ｂとからなっている（図５参照）。
【００３２】
大径ワイヤーロープ用溝２ａと小径ワイヤーロープ用溝２ｂは、何れも、弧状に形成されている（図２、図３参照）。なお、大径ワイヤーロープ用溝２ａと小径ワイヤーロープ用溝２ｂは、何れも、Ｖ字状に形成しても良い。
【００３３】
５は、溝部２の両側の金具本体部１に形成されたボルト孔であり、Ｕボルト６が挿入される（図４、図５参照）。
【００３４】
このように構成されている、この発明のワイヤーロープ用固定金具により大径ワイヤーロープ３同士を固定するには、以下のようにする。
【００３５】
図４に示すように、大径ワイヤーロープ同士を固定するには、一方の大径ワイヤーロープ３ａを大径ワイヤーロープ用溝２ａに嵌め込み、他方の大径ワイヤーロープ３ｂを一方の大径ワイヤーロープ３ａと重ねて小径ワイヤーロープ用溝２ｂの位置に配す。そして、Ｕボルト６を他方の大径ワイヤーロープ３ｂを跨いでボルト孔５に挿入してナット締めする（図１０参照）。Ｕボルト６は、大径ワイヤーロープ３ｂ用のものを使用する。
【００３６】
なお、以上は、大径ワイヤーロープ３ａ、３ｂが同径の場合であるが、径が異なっている場合にも固定可能である。
【００３７】
図５に示すように、小径ワイヤーロープ同士を固定するには、一方の小径ワイヤーロープ４ａを小径ワイヤーロープ用溝２ｂに嵌め込み、他方の小径ワイヤーロープ４ｂを一方の小径ワイヤーロープ４ａと重ねて大径ワイヤーロープ用溝２ａの位置に配す。そして、Ｕボルト６を他方の小径ワイヤーロープ４ｂを跨いでボルト孔５に挿入してナット締めする（図１０参照）。Ｕボルト６は、小径ワイヤーロープ４ｂ用のものを使用する。
【００３８】
なお、以上は、小径ワイヤーロープ４ａ、４ｂが同径の場合であるが、径が異なっている場合にも固定可能である。
【００３９】
このようにして、この発明のワイヤーロープ用固定金具によれば、ワイヤーロープの径が異なっても同一の固定金具により、交差する２本のワイヤーロープ同士を、ワイヤーロープの交差部において相互に固定することができるので、落石防止工事に要する費用を削減することができる。
【符号の説明】
【００４０】
１：金具本体部
２：溝部
２ａ：大径ワイヤーロープ用溝
２ｂ：小径ワイヤーロープ用溝
３ａ：一方の大径ワイヤーロープ
３ｂ：他方の大径ワイヤーロープ
４ａ：一方の小径ワイヤーロープ
４ｂ：他方の小径ワイヤーロープ
５：ボルト孔
６：Ｕボルト
１１：斜面
１２：ワイヤーロープ
１３：ワイヤーロープ用固定金具
１４：金具本体部
１５：溝部
１６：ボルト孔
１７ａ：一方の大径ワイヤーロープ
１７ｂ：他方の大径ワイヤーロープ
１８：Ｕボルト
１９：ナット
２０ａ：一方の小径ワイヤーロープ
２０ｂ：他方の小径ワイヤーロープ
２１：溝部
【図１】
0006630501.tif 000002
【図２】
0006630501.tif 000003
【図３】
0006630501.tif 000004
【図４】
0006630501.tif 000005
【図５】
0006630501.tif 000006
【図６】
0006630501.tif 000007
【図７】
0006630501.tif 000008
【図８】
0006630501.tif 000009
【図９】
0006630501.tif 000010
【図１０】
0006630501.tif 000011
【図１１】
0006630501.tif 000012
【図１２】
0006630501.tif 000013
【図１３】
0006630501.tif 000014